(57)【要約】【課題】金融窓口端末と現金処理機の電源連動の処理を確実に行うことのできる金融窓口システムを提供する。【解決手段】金融窓口端末１と現金処理機２が通信用のＬＡＮケーブルと、電源制御用のケーブルにより接続されており、現金処理機２は、金融窓口端末１からＵＳＢケーブルを介して電源ＯＮまたは電源ＯＦＦを示す電源制御信号を受信する。そして現金処理機２は、金窓口システムを構成する複数の金融窓口端末１のうち、全ての金融窓口端末から電源ＯＦＦを示す電源制御信号を受信した場合に現金処理機２の電源をＯＦＦに制御する。【選択図】図１
2011164770.tif 000002
【特許請求の範囲】
【請求項１】
複数の金融窓口端末と現金処理機とを備えた金融窓口システムであって、
前記金融窓口端末が、
前記現金処理機との間で電源制御信号専用ケーブルを接続する電源制御信号専用インタフェースと、
電源起動の検出時に前記電源制御信号専用ケーブルを介して前記現金処理機へ電源起動信号を出力し、電源遮断の検出時に前記電源制御信号専用ケーブルを介して前記現金処理機へ電源遮断信号を出力する電源制御信号出力処理部と、
前記現金処理機との間でＬＡＮケーブルを接続するＬＡＮケーブルインタフェースと、を備え、
前記現金処理機が、
前記金融窓口端末との間で電源制御信号専用ケーブルを接続する複数の電源制御信号専用インタフェースと、
前記金融窓口端末との間でＬＡＮケーブルを接続するＬＡＮケーブルインタフェースと、
前記電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う電源制御部と、を備える
ことを特徴とする金融窓口システム。
【請求項２】
複数の金融窓口端末と、それら複数の金融窓口端末それぞれとＬＡＮケーブルによって接続された現金処理機とを備えた金融窓口システムにおける電源連動方法であって、
前記金融窓口端末の電源制御信号出力処理部が、電源起動の検出時に電源制御信号専用ケーブルを介して前記現金処理機へ電源起動信号を出力し、電源遮断の検出時に電源制御信号専用ケーブルを介して前記現金処理機へ電源遮断信号を出力し、
前記現金処理機の電源制御部が、前記電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う
ことを特徴とする電源連動方法。
【請求項３】
複数の金融窓口端末と、それら複数の金融窓口端末それぞれとＬＡＮケーブルによって接続された現金処理機とを備えた金融窓口システムの前記現金処理機であって、
前記金融窓口端末との間で電源制御信号専用ケーブルを接続する複数の電源制御信号専用インタフェースと、
前記金融窓口端末との間で前記ＬＡＮケーブルを接続するＬＡＮケーブルインタフェースと、
電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う電源制御部と、
を備えることを特徴とする現金処理機。
【請求項４】
複数の金融窓口端末と、それら複数の金融窓口端末それぞれとＬＡＮケーブルによって接続された現金処理機とを備えた金融窓口システムの前記現金処理機のコンピュータを、
電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う電源制御手段、
として機能させることを特徴とするプログラム。
【請求項５】
複数の金融窓口端末と、それら複数の金融窓口端末それぞれとＬＡＮケーブルによって接続された現金処理機とを備えた金融窓口システムの前記現金融窓口端末であって、
前記現金処理機との間で電源制御信号専用ケーブルを接続する電源制御信号専用インタフェースと、
電源起動の検出時に前記電源制御信号専用ケーブルを介して前記現金処理機へ電源起動信号を出力し、電源遮断の検出時に前記電源制御信号専用ケーブルを介して前記現金処理機へ電源遮断信号を出力する電源制御信号出力処理部と、
前記現金処理機との間でＬＡＮケーブルを接続するＬＡＮケーブルインタフェースと、
を備えることを特徴とする金融窓口端末。
【請求項６】
複数の金融窓口端末と、それら複数の金融窓口端末それぞれとＬＡＮケーブルによって接続された現金処理機とを備えた金融窓口システムの前記現金融窓口端末のコンピュータを、
電源起動の検出時に前記電源制御信号専用ケーブルを介して前記現金処理機へ電源起動信号を出力し、電源遮断の検出時に前記電源制御信号専用ケーブルを介して前記現金処理機へ電源遮断信号を出力する電源制御信号出力処理手段、
として機能させることを特徴とするプログラム。
【発明の詳細な説明】
【技術分野】
【０００１】
本発明は、電源連動機能を備えた金融窓口システムおよび電源連動方法、現金処理機と金融窓口端末およびプログラムに関する。
【背景技術】
【０００２】
金融窓口システムにおいて、金融窓口端末には多くのＩＯ機器が接続されており、各ＩＯ機器の金融窓口端末との電源連動は必須である。そして、基本的に金融窓口端末の電源をＯＮ／ＯＦＦした際に、関連するＩＯ機器の電源がＯＮ／ＯＦＦすることが必要である。ここで、金融窓口端末には、例えば現金処理機が接続されており、当該現金処理機は複数の金融窓口端末に接続されている。そして、金融窓口システムにおいて、金融窓口端末と現金処理機の接続は、ＲＳ４２２やＲＳ２３２Ｃ等の規格で接続されている。
【０００３】
しかし、最近の金融窓口端末と現金処理機の接続は、汎用ＩＦ（interface）であるＬＡＮ（Local Area Network）接続が主流になってきた。
図５にWake on LAN接続方式のシステム構成図を示す。
図５において金融窓口端末５１、５２と現金処理機５３はLANケーブル５４で接続している。LANケーブル５４は、金融窓口端末５１，５２が現金処理機５３を動作制御する指示（コマンド）やその応答（レスポンス）の通信や、現金処理機５３のプログラムのダウンロード及び障害データの収集の通信を行い、同時に電源連動も行う。ＬＡＮ接続の場合、図５のWake on LAN接続方式で、金融窓口端末５１，５２からの電源ＯＮのコマンドの受信に基づく現金処理機の電源ＯＮは可能であるが、ＬＡＮケーブル５４による通信異常が発生した場合等においては電源ＯＮできないという問題が想定される。
また、電源ＯＦＦにおいても、金融窓口端末５１、５２が現金処理機５３に対して、電源ＯＦＦをコマンド送信して行う。しかしながら、通信異常や金融窓口端末の異常により電源ＯＦＦコマンドを現金処理機５３が受信できなかった場合、現金処理機は電源ＯＦＦできないことになる。以上より、通信で行う電源連動の処理は確実性に欠けてしまうという問題があった。
【０００４】
図６は金融窓口端末６１，６２と現金処理機６３を連動コンセント６４で接続する方式のシステム構成を示す図である。
また、図７は金融窓口端末７１，７２と現金処理機７３をサービスコンセント７４，７５とＡＣアダプタ７５，７６で接続する方式のシステム構成を示す図である。
図６や図７で示すように、連動コンセント方式（図６）や、サービスコンセント方式（図７）により電源連動させることも考えられるが、連動コンセントや金融窓口端末へのサービスコンセント口を新たに設ける必要があり、コスト増となってしまう。
なお、本技術に関連連する電源のＯＮ／ＯＦＦを連動させる技術が特許文献１に開示されている。
【先行技術文献】
【特許文献】
【０００５】
【特許文献１】特開２００７−７２６００号公報
【発明の概要】
【発明が解決しようとする課題】
【０００６】
そこでこの発明は、上述の課題を解決することのできる金融窓口システムおよび電源連動方法、現金処理機と金融窓口端末およびプログラムを提供することを目的としている。
【課題を解決するための手段】
【０００７】
上記目的を達成するために、本発明は、複数の金融窓口端末と現金処理機とを備えた金融窓口システムであって、前記金融窓口端末が、前記現金処理機との間で電源制御信号専用ケーブルを接続する電源制御信号専用インタフェースと、電源起動の検出時に前記電源制御信号専用ケーブルを介して前記現金処理機へ電源起動信号を出力し、電源遮断の検出時に前記電源制御信号専用ケーブルを介して前記現金処理機へ電源遮断信号を出力する電源制御信号出力処理部と、前記現金処理機との間でＬＡＮケーブルを接続するＬＡＮケーブルインタフェースと、を備え、前記現金処理機が、前記金融窓口端末との間で電源制御信号専用ケーブルを接続する複数の電源制御信号専用インタフェースと、前記金融窓口端末との間でＬＡＮケーブルを接続するＬＡＮケーブルインタフェースと、前記電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う電源制御部と、を備えることを特徴とする金融窓口システムである。
【０００８】
また本発明は、複数の金融窓口端末と、それら複数の金融窓口端末それぞれとＬＡＮケーブルによって接続された現金処理機とを備えた金融窓口システムにおける電源連動方法であって、  前記金融窓口端末の電源制御信号出力処理部が、電源起動の検出時に電源制御信号専用ケーブルを介して前記現金処理機へ電源起動信号を出力し、電源遮断の検出時に電源制御信号専用ケーブルを介して前記現金処理機へ電源遮断信号を出力し、前記現金処理機の電源制御部が、前記電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行うことを特徴とする電源連動方法である。
【０００９】
また本発明は、複数の金融窓口端末と、それら複数の金融窓口端末それぞれとＬＡＮケーブルによって接続された現金処理機とを備えた金融窓口システムの前記現金処理機であって、前記金融窓口端末との間で電源制御信号専用ケーブルを接続する複数の電源制御信号専用インタフェースと、前記金融窓口端末との間で前記ＬＡＮケーブルを接続するＬＡＮケーブルインタフェースと、電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う電源制御部と、を備えることを特徴とする現金処理機である。
【００１０】
また本発明は、複数の金融窓口端末と、それら複数の金融窓口端末それぞれとＬＡＮケーブルによって接続された現金処理機とを備えた金融窓口システムの前記現金処理機のコンピュータを、電源制御信号専用ケーブルを介して前記複数の金融窓口端末のいずれか１つから前記電源起動信号を受信した場合には電源起動処理を行い、前記電源制御信号専用ケーブルを介して前記複数の金融窓口端末の全てから前記電源遮断信号を受信した場合には電源遮断処理を行う電源制御手段、として機能させることを特徴とするプログラムである。
【００１１】
また本発明は、複数の金融窓口端末と、それら複数の金融窓口端末それぞれとＬＡＮケーブルによって接続された現金処理機とを備えた金融窓口システムの前記現金融窓口端末であって、前記現金処理機との間で電源制御信号専用ケーブルを接続する電源制御信号専用インタフェースと、電源起動の検出時に前記電源制御信号専用ケーブルを介して前記現金処理機へ電源起動信号を出力し、電源遮断の検出時に前記電源制御信号専用ケーブルを介して前記現金処理機へ電源遮断信号を出力する電源制御信号出力処理部と、前記現金処理機との間でＬＡＮケーブルを接続するＬＡＮケーブルインタフェースと、を備えることを特徴とする金融窓口端末である。
【００１２】
また本発明は、  複数の金融窓口端末と、それら複数の金融窓口端末それぞれとＬＡＮケーブルによって接続された現金処理機とを備えた金融窓口システムの前記現金融窓口端末のコンピュータを、電源起動の検出時に前記電源制御信号専用ケーブルを介して前記現金処理機へ電源起動信号を出力し、電源遮断の検出時に前記電源制御信号専用ケーブルを介して前記現金処理機へ電源遮断信号を出力する電源制御信号出力処理手段、として機能させることを特徴とするプログラムである。
【発明の効果】
【００１３】
本発明によれば、金融窓口端末１と現金処理機２が通信用のＬＡＮケーブルと、電源制御用のケーブルにより接続されており、現金処理機２は、金融窓口端末１から電源制御信号専用ケーブルを介して電源ＯＮまたは電源ＯＦＦを示す電源制御信号を受信する。そして現金処理機２は、金窓口システムを構成する複数の金融窓口端末１のうち、全ての金融窓口端末から電源ＯＦＦを示す電源制御信号を受信した場合に現金処理機２の電源をＯＦＦに制御する。これにより、ＬＡＮケーブルを介した通信障害が発生したとしても、電源のＯＮ／ＯＦＦ制御を行うことができる。また、現金処理機２は、何れか１つの金融窓口端末１が電源ＯＮであれば電源ＯＮし続け、全ての金融窓口端末１の電源がＯＦＦとなるまで、金融窓口システムにおけるサービスを提供することができる。
【図面の簡単な説明】
【００１４】
【図１】第１の実施形態による金融窓口システムの構成を示すブロック図である。
【図２】金融窓口端末と現金処理機の機能ブロック図である。
【図３】金融窓口システムの処理フローを示す図である。
【図４】第２の実施形態による金融窓口システムの構成を示すブロック図である。
【図５】Wake on LAN接続方式のシステム構成を示す図である。
【図６】金融窓口端末と現金処理機を連動コンセントで接続する方式のシステム構成を示す図である。
【図７】金融窓口端末と現金処理機をサービスコンセントとＡＣアダプタで接続する方式のシステム構成を示す図である。
【発明を実施するための形態】
【００１５】
以下、本発明の一実施形態による金融窓口システムを図面を参照して説明する。
図１は第１の実施形態による金融窓口システムの構成を示すブロック図である。
この図において、符号１は現金の引き落としや振込み等を行う金融窓口端末である。また、２は金融窓口端末に対して現金を搬送する等の処理を行う現金処理機である。図１で示す金融窓口システムにおいては、金融窓口端末１は２つ存在するものとする。なお説明の便宜上、それぞれの金融窓口端末１を１ａ，１ｂの符号を用いて説明する（総称して金融窓口端末１とする）。そして、金融窓口端末１と現金処理機２はＬＡＮケーブルを介して接続されているものとする。金融窓口端末１と現金処理機２は、ＬＡＮケーブルを介して、動作制御指示のコマンドを送受信や、プログラムのダウンロード、障害データの収集などの通信を行う。また金融窓口端末１と現金処理機２はＵＳＢケーブル（電源制御信号専用ケーブル）を介して接続されているものとする。金融窓口端末１はＵＳＢケーブルを介して現金処理機２へ電源ＯＮ／ＯＦＦを通知する電源制御信号（リモートＰｏｗｅｒＯｎ信号）を送信する。
【００１６】
図２は金融窓口端末と現金処理機の機能ブロック図である。
図２で示すように、金融窓口端末１は、ＬＡＮケーブルを接続するＬＡＮインタフェース１１、ＵＳＢケーブルを接続するＵＳＢインタフェース（電源制御信号専用インタフェース）１２、電源制御信号を出力する電源制御信号出力処理部１３を少なくとも備えている。その他、金融窓口端末１は、金融窓口端末の引き落としや振込み等の処理等を行う各処理部を備えているが、本発明に関する処理部や構成以外についてはその説明は省略するものとする。また現金処理機２は、ＬＡＮケーブルを接続するＬＡＮインタフェース２１、ＵＳＢケーブルを接続するＵＳＢインタフェース２２、現金処理機２の電源制御を行う電源制御部２３を備えている。電源制御部２３は電源ＯＦＦ時においても、外部からの電源ＯＮを示す電源制御信号の受信に基づいて自動的に電源ＯＮする制御を行うものである。
【００１７】
図３は金融窓口システムの処理フローを示す図である。
次に金融窓口システムの処理フローについて説明する。
まず、金融窓口端末１および現金処理機２は電源ＯＦＦの状態であるとする。この状態において、金融窓口端末１の電源制御信号出力処理部１３は、金融窓口端末１の電源ＯＮを検出すると（ステップＳ１０１）、ＵＳＢインタフェース１２を介して電源ＯＮを示す電源制御信号を、ＵＳＢインタフェース１２を介して出力する（ステップＳ１０２）。そして、現金処理機２はＵＳＢインタフェース２２を介して電源制御部２３が電源制御信号を受け付ける。そして、電源制御部２３は、電源制御信号が電源ＯＮと電源ＯＦＦのどちらを示すかを判定する（ステップＳ１０３）。電源制御部２３は、金融窓口端末１ａまたは金融窓口端末１ｂの何れかより、電源ＯＮを示す電源制御信号を受信した場合には、現金処理機２の電源をＯＮする（ステップＳ１０４）。これにより、金融窓口端末１と現金処理機２が協働して動作し金融窓口の処理を行う。また電源制御部２３は、電源制御信号で示される当該電源制御信号を送信した金融窓口端末１のＩＤと電源ＯＮの情報とを対応付けて電源状態記憶テーブルに記憶しておく。
【００１８】
また、金融窓口端末１において電源断を検出すると（ステップＳ２０１）、金融窓口端末１の電源制御信号出力処理部１３が、電源ＯＦＦを示す電源制御信号をＵＳＢインタフェース１２を介して現金処理機２へ出力する（ステップＳ２０２）。現金処理機２の電源制御部２３はＵＳＢインタフェース２２を介して電源制御信号を受信すると、当該電源制御信号が電源ＯＮと電源ＯＦＦのどちらを示すかを判定する（ステップＳ２０３）。電源制御部２３は電源制御信号が電源ＯＦＦを示す場合には、電源状態記憶テーブルにおいて、電源制御信号で示される当該電源制御信号を送信した金融窓口端末１のＩＤと電源ＯＮを示す情報とが記録されているため、当該電源ＯＮの情報を電源ＯＦＦの情報へと更新する（ステップＳ２０４）。そして、現金処理部２は全ての金融窓口端末１の電源がＯＦＦとなったかを電源状態記憶テーブルから判定し（ステップＳ２０５）、全ての金融窓地端末１が電源ＯＦＦとなった場合には、現金処理機２の電源断を処理する（ステップＳ２０６）。
【００１９】
つまり、上述の処理によれば、
（１）金融窓口端末１ａが電源ＯＮ、金融窓口端末１ｂが電源ＯＮの場合、現金処理機２の電源はＯＮとなる。
（２）金融窓口端末１ａが電源ＯＮ、金融窓口端末１ｂが電源ＯＦＦの場合、現金処理機２の電源はＯＮとなる。
（３）金融窓口端末１ａが電源ＯＦＦ、金融窓口端末１ｂが電源ＯＮの場合、現金処理機２の電源はＯＮとなる。
（４）金融窓口端末１ａが電源ＯＦＦ、金融窓口端末１ｂが電源ＯＦＦの場合、現金処理機２の電源はＯＦＦとなる。
【００２０】
図４は第２の実施形態による金融窓口システムの構成を示すブロック図である。
この図で示す金融窓口システムは、金融窓口端末１がｎ個存在する場合の例を示している。そして、各金融窓口端末１ａ〜１ｎは、それぞれがＬＡＮインタフェース１１によりＬＡＮケーブルを介して現金処理機２のＬＡＮインタフェース２１と接続されており、またＵＳＢインタフェースにより、ＵＳＢケーブルを介して現金処理機２のＵＳＢインタフェース２２と接続されている。そして、第１の実施形態同様に、現金処理機２の電源制御部２３は、何れかの金融窓口端末１から電源ＯＮを示す電源制御信号を受信した場合には電源ＯＮし、自身の電源ＯＮ時に全ての金融窓口端末１から電源ＯＦＦを示す電源制御信号を受信した場合には電源ＯＦＦする。
【００２１】
以上の処理によれば、金融窓口端末１と現金処理機２が通信用のＬＡＮケーブルと、電源制御用のケーブルにより接続されており、現金処理機２は、金融窓口端末１からＵＳＢケーブルを介して電源ＯＮまたは電源ＯＦＦを示す電源制御信号を受信する。そして現金処理機２は、金窓口システムを構成する複数の金融窓口端末１のうち、全ての金融窓口端末から電源ＯＦＦを示す電源制御信号を受信した場合に現金処理機２の電源をＯＦＦに制御する。これにより、ＬＡＮケーブルを介した通信障害が発生したとしても、電源のＯＮ／ＯＦＦ制御を行うことができる。また、現金処理機２は、何れか１つの金融窓口端末１が電源ＯＮであれば電源ＯＮし続け、全ての金融窓口端末１の電源がＯＦＦとなるまで、金融窓口システムにおけるサービスを提供することができる。
【００２２】
なお、上述の説明においては、金融窓口端末１と現金処理機２との間の電源制御用の信号の送受信をＵＳＢケーブルで行う場合の例について説明したが、ＵＳＢケーブルの代わりに、ＰＳ／２ケーブルを用いるようにしてもよい。ＰＳ／２ケーブルを利用するメリットはその接続の確実さにある。ＵＳＢは転送速度や汎用性などのメリットがある反面、ポート（ＵＳＢインタフェース）から抜けやすいといった問題がある。その点ＰＳ／２コネクタは、ＵＳＢコネクタと比較してポートから抜けにくく、また熟成された規格であるので安定した動作が可能となっている。
【００２３】
上述の金融窓口端末１や現金処理機２は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。
【００２４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２５】
１・・・金融窓口端末
２・・・現金処理機
１１，２１・・・ＬＡＮインタフェース
１２，２２・・・ＵＳＢインタフェース
１３・・・電源制御信号出力制御部
２３・・・電源制御部
【図１】
2011164770.tif 000003
【図２】
2011164770.tif 000004
【図３】
2011164770.tif 000005
【図４】
2011164770.tif 000006
【図５】
2011164770.tif 000007
【図６】
2011164770.tif 000008
【図７】
2011164770.tif 000009